(57)【特許請求の範囲】
【請求項１】
ダウンリンクビームフォーミングシステムのコントロールのもとで実行される方法であって、
複数のモバイルデバイスのそれぞれの速度情報を受信すること、
前記複数のモバイルデバイスを前記速度情報に基づいて、所定速度との比較において、低速グループ又は高速グループへ分類することであって、前記低速グループ内のモバイルデバイスのスピードが、所定のスピードよりも遅く、前記高速グループ内のモバイルデバイスのスピードが、前記所定のスピードよりも速く、
前記低速グループに属する複数のモバイルデバイスを、基地局から同じ方向に位置していて所定のレンジ内に位置している複数のモバイルデバイスを１つまたは複数のサブグループへと分けること、
前記複数のモバイルデバイスを前記速度情報に基づいて低速グループ又は高速グループへ分類することは、前記複数のモバイルデバイスの速度情報を定期的に更新して、前記分類を定期的に再度行うことを含み、
前記サブグループのために、前記基地局が指向性ビームを生成すること、
前記低速グループに属しつつ前記基地局から同じ方向にありながら、前記サブグループに分類されないモバイルデバイスと、前記高速グループに属するモバイルデバイスと、に対して、前記基地局が無指向性ビームを生成すること、
を含む方法。
【請求項２】
前記所定のレンジが、前記ダウンリンクビームフォーミングシステムを含む基地局から前記サブグループ内のモバイルデバイスへの方向に関連付けられている、請求項１に記載の方法。
【請求項３】
前記指向性ビームを生成することが、
前記１つまたは複数のサブグループそれぞれのために１つまたは複数の指向性ビームを作成することを含む、請求項１に記載の方法。
【請求項４】
複数のモバイルデバイスのそれぞれの速度情報を受信するように構成されている受信ユニットと、
前記複数のモバイルデバイスを前記速度情報に基づいて、所定速度との比較において、低速グループ又は高速グループへ分類し、前記低速グループ内のモバイルデバイスの速度が、所定の速度よりも遅く、前記高速グループ内のモバイルデバイスの速度が、前記所定の速度よりも速く、前記低速グループに属する複数のモバイルデバイスを、基地局から同じ方向に位置していて所定のレンジ内に位置している複数のモバイルデバイスを１つまたは複数のサブグループへと分けるように構成されているグループ化ユニットと、
前記複数のモバイルデバイスの速度情報を定期的に更新して、前記分類を定期的に再度行うように構成されている更新ユニットと、
前記サブグループのために、前記基地局が指向性ビームを生成するように構成されている指向性ビーム生成ユニットと、
前記低速グループに属しつつ前記基地局から同じ方向にありながら、前記サブグループに分類されないモバイルデバイスと、前記高速グループに属するモバイルデバイスと、に対して、前記基地局が無指向性ビームを生成するように構成されている無指向性ビーム生成ユニットと、
を含むダウンリンクビームフォーミングシステム。
【請求項５】
前記指向性ビーム生成ユニットが、
前記１つまたは複数のサブグループそれぞれのために１つまたは複数の指向性ビームを生成するように構成されている、請求項４に記載のダウンリンクビームフォーミングシステム。
【請求項６】
コンピュータ実行可能命令を格納しているコンピュータ可読記憶媒体であって、前記コンピュータ実行可能命令が、実行に応答して、
複数のモバイルデバイスのそれぞれの速度情報を受信すること、
前記複数のモバイルデバイスを前記速度情報に基づいて、所定速度との比較において、低速グループ又は高速グループへ分類することであって、前記低速グループ内のモバイルデバイスのスピードが、所定のスピードよりも遅く、前記高速グループ内のモバイルデバイスのスピードが、前記所定のスピードよりも速く、
前記低速グループに属する複数のモバイルデバイスを、基地局から同じ方向に位置していて所定のレンジ内に位置している複数のモバイルデバイスを１つまたは複数のサブグループへと分けること、
前記複数のモバイルデバイスを前記速度情報に基づいて低速グループ又は高速グループへ分類することは、前記複数のモバイルデバイスの速度情報を定期的に更新して、前記分類を定期的に再度行うことを含み、
前記サブグループのために、前記基地局が指向性ビームを生成すること、および、
前記低速グループに属しつつ前記基地局から同じ方向にありながら、前記サブグループに分類されないモバイルデバイスと、前記高速グループに属するモバイルデバイスと、に対して、前記基地局が無指向性ビームを生成すること、を含むオペレーションをダウンリンクビームフォーミングシステムに実行させる、コンピュータ可読記憶媒体。
【発明の詳細な説明】
【背景技術】
【０００１】
モバイルデバイスの使用は、ここ数年で驚異的な成長を経験している。基地局は、ビームフォーミングによって指向性ビームを生成すること、およびそれらの生成された指向性ビームをターゲットモバイルデバイスのために提供することが可能である。したがって基地局は、より効率的に信号をモバイルデバイスへ送信することができる。しかしながら、基地局がビームフォーミングによって指向性ビームを生成するためには、それぞれのモバイルデバイスの位置および速度を推定することが必要である。
【発明の概要】
【発明が解決しようとする課題】
【０００２】
一例においては、ダウンリンクビームフォーミングシステムのコントロールのもとで実行される方法が、複数のモバイルデバイスのそれぞれの移動情報を受信すること、それらのモバイルデバイスのうちの少なくともいくつかを移動情報に基づいて１つまたは複数のグループへとグループ化すること、およびそれらのグループそれぞれのためにビームを生成することを含むことができる。
【０００３】
一例においては、ダウンリンクビームフォーミングシステムが、複数のモバイルデバイスの移動情報を受信するように構成されている受信ユニットと、それらのモバイルデバイスのうちの少なくともいくつかを移動情報に基づいて１つまたは複数のグループへとグループ化するように構成されているグループ化ユニットと、それらのグループそれぞれのためにビームを生成するように構成されているビーム生成ユニットとを含むことができる。
【０００４】
一例においては、コンピュータ可読記憶媒体が、コンピュータ実行可能命令を格納しておくことができ、それらのコンピュータ実行可能命令は、実行に応答して、複数のモバイルデバイスのそれぞれの移動情報を受信すること、それらのモバイルデバイスのうちの少なくともいくつかを移動情報に基づいて１つまたは複数のグループへとグループ化すること、およびそれらのグループそれぞれのためにビームを生成することを含むオペレーションをダウンリンクビームフォーミングシステムに実行させる。
【０００５】
前述の概要は、例示的なものにすぎず、いかなる形であれ限定することを意図されているものではない。上述の例示的な態様、実施形態、および特徴に加えて、さらなる態様、実施形態、および特徴が、図面および以降の詳細な説明を参照することによって明らかになるであろう。
【０００６】
本開示の前述の特徴およびその他の特徴は、添付の図面とともに以降の説明および添付の特許請求の範囲を理解すれば、より完全に明らかになるであろう。これらの図面は、本開示によるいくつかの実施形態を示しているにすぎず、したがって、本開示の範囲を限定するものとみなされるべきではないということを理解して、添付の図面の使用を通じたさらなる具体性および詳細を伴って本開示について説明する。
【図面の簡単な説明】
【０００７】
【図１】ダウンリンクビームフォーミングシステムが複数のモバイルデバイスの少なくとも１つのグループのために狭ビームを構築する説明例を示す図である。
【図２】ダウンリンクビームフォーミングシステムが、セル内に位置しているモバイルデバイスどうしをそれらのモバイルデバイスの速度および位置に基づいてグループ化する説明例を示す図である。
【図３】ダウンリンクビームフォーミングシステムが、セル内に位置しているモバイルデバイスのためにビームを生成する説明例を示す図である。
【図４】ダウンリンクビームフォーミングシステムの一例を示す概略ブロック図である。
【図５】ビーム生成ユニットの一例を示す概略ブロック図である。
【図６】モバイルデバイスどうしをグループ化して、それらのモバイルデバイスのためにビームを生成するためのプロセスの一例を示す流れ図である。
【図７】ワイヤレス通信のためのビームフォーミングを提供するために利用されることが可能であるコンピュータプログラム製品を示す図である。
【図８】ワイヤレス通信のためのビームフォーミングを提供するために利用されることが可能であるコンピューティングデバイスの一例を示すブロック図である。
【発明を実施するための形態】
【０００８】
上記はすべて、本明細書に記載されている少なくともいくつかの実施形態に従ってアレンジされている。
【０００９】
以降の詳細な説明においては、添付の図面に対する参照が行われ、それらの図面は、本明細書の一部を形成している。それらの図面においては、同様のシンボルは、文脈によって別段の内容が示されない限り、典型的には同様のコンポーネントを識別する。詳細な説明、図面、および特許請求の範囲に記載されている例示的な実施形態は、限定することを意図されてはいない。本明細書において提示されている主題の趣旨または範囲から逸脱することなく、その他の実施形態を利用することができ、その他の変更を行うことができる。一般的に本明細書において説明され図において示されている本開示の複数の態様は、さまざまな異なる構成でアレンジすること、代用すること、組み合わせること、分割すること、および設計することが可能であり、それらの構成のすべては、本明細書において明示的に考慮されているということが容易に理解できるであろう。
【００１０】
本開示は一般に、とりわけ、モバイルデバイスのための使用の推奨に関連した方法、装置、システム、デバイス、およびコンピュータプログラム製品に引き付けられている。
【００１１】
かいつまんで言えば、ワイヤレス通信のために狭指向性ビームを複数のモバイルデバイスの１つまたは複数のグループに提供するように構成されているダウンリンクビームフォーミングシステムに関するテクノロジーについて一般的に説明する。いくつかの例においては、ダウンリンクビームフォーミングシステムを含む基地局が、複数のモバイルデバイスのグループのために狭指向性ビームを提供することができる。この狭指向性ビームは、空間干渉抑制利得を提供することができる。
【００１２】
いくつかの例においては、ビームフォーミングシステムは、基地局によってカバーされているセル内の複数のモバイルデバイスを、それらのモバイルデバイスの速度に基づいて低速グループおよび高速グループへとグループ化することができる。ビームフォーミングシステムは、低速グループのモバイルデバイスどうしを、それらのモバイルデバイスの位置に基づいて１つまたは複数のサブグループへと再グループ化することができる。限定ではなく、例として、ビームフォーミングシステムは、所定のレンジ内に位置しているモバイルデバイスどうしをサブグループへとグループ化することができる。
【００１３】
いくつかの例においては、ビームフォーミングシステムを含む基地局は、サブグループのための１つまたは複数の狭指向性ビームと、それらのサブグループのモバイルデバイス以外のモバイルデバイスのための無指向性ビームとを生成することができる。
【００１４】
図１は、本開示の少なくともいくつかの実施形態による、ダウンリンクビームフォーミングシステムが複数のモバイルデバイスの少なくとも１つのグループのために狭ビームを構築する説明例を示している。
【００１５】
図１において示されているように、基地局１１０が、ワイヤレス通信のためのカバレッジとしてセル１２０をサポートすることができる。いくつかの実施形態においては、基地局１１０は、セル１２０内に位置しているモバイルデバイスのために１つまたは複数のビームを構築することができる。限定ではなく、例として、基地局１１０は、セル１２０内に位置しているモバイルデバイスのうちの複数のモバイルデバイスのために１つまたは複数の狭指向性ビーム１３０、１４０、および１５０を構築することができる。
【００１６】
いくつかの実施形態においては、基地局１１０は、基地局１１０から同様の方向に位置していて所定のスピードよりも遅い移動スピードを有している複数のモバイルデバイスのために狭指向性ビームを構築することができる。限定ではなく、例として、基地局１１０は、基地局１１０からの所定の方向に関連付けられている所定のレンジ内に位置していて所定のスピードよりも遅い移動スピードを有している複数のモバイルデバイスのために狭指向性ビームを構築することができる。
【００１７】
いくつかの実施形態においては、基地局１１０は、所定のスピード以上の移動スピードを有している、または基地局１１０からの所定の方向に基づいてグループ化されていない１つまたは複数のモバイルデバイスのために無指向性ビーム（図示せず）を構築することができる。
【００１８】
したがって基地局１１０は、セル１２０内に位置しているモバイルデバイスの速度情報および位置情報を含む移動情報に基づいて１つまたは複数の狭指向性ビームを生成することができる。
【００１９】
図２は、本開示の少なくともいくつかの実施形態による、ダウンリンクビームフォーミングシステムが、セル内に位置しているモバイルデバイスどうしをそれらのモバイルデバイスの速度および位置に基づいてグループ化する説明例を示している。
【００２０】
図２（Ａ）において示されているように、基地局１１０内に含まれているダウンリンクビームフォーミングシステムは、セル１２０内に位置しているモバイルデバイスどうしを所定のスピードに基づいて低速グループおよび高速グループへとグループ化することができる。いくつかの実施形態においては、セル１２０内に位置しているモバイルデバイスどうしは、さまざまなスピードで移動することができる。ダウンリンクビームフォーミングシステムは、セル１２０内に位置しているモバイルデバイスのうちで、所定のスピードよりも遅く移動している１つまたは複数のモバイルデバイスを低速グループへ、および所定のスピード以上で移動している１つまたは複数のデバイスを高速グループへと分類することができる。
【００２１】
いくつかの実施形態においては、セル１２０内に位置しているモバイルデバイスのスピードは、変化する場合があり、ダウンリンクビームフォーミングシステムは、セル１２０内に位置しているモバイルデバイスの速度情報を定期的に更新して、セル１２０内に位置しているモバイルデバイスどうしを低速グループおよび高速グループへと定期的にグループ化することができる。
【００２２】
図２（Ｂ）において示されているように、ダウンリンクビームフォーミングシステムは、低速グループの複数のモバイルデバイスをそれらの複数のモバイルデバイスの位置に基づいて１つまたは複数のサブグループへと再グループ化することができる。いくつかの実施形態においては、ダウンリンクビームフォーミングシステムは、低速グループの複数のモバイルデバイスのうちで、基地局１１０から同様の方向に位置していて所定のレンジ内に位置している複数のモバイルデバイスを１つまたは複数のサブグループへと再グループ化することができる。
【００２３】
限定ではなく、例として、ダウンリンクビームフォーミングシステムは、基地局１１０からの方向Ａと同様の方向に位置していて所定のレンジ内に位置しているモバイルデバイス２０２、２０４、２０６、２０８、および２１０をサブグループ２１２へと再グループ化することができる。さらに、ダウンリンクビームフォーミングシステムは、方向Ｂと同様の方向に位置していて所定のレンジ内に位置しているモバイルデバイス２２２、２２４、２２６、２２８、２３０、および２３２をサブグループ２３４へと再グループ化することができ、ダウンリンクビームフォーミングシステムは、方向Ｃと同様の方向に位置していて所定のレンジ内に位置しているモバイルデバイス２４２、２４４、２４６、２４８、２５０、および２５２をサブグループ２５４へと再グループ化することができる。所定のレンジは、基地局１１０によって生成された狭指向性ビームの幅に依存することができる。
【００２４】
図３は、本明細書に記載されている少なくともいくつかの実施形態による、ダウンリンクビームフォーミングシステムが、セル内に位置しているモバイルデバイスのためにビームを生成する説明例を示している。
【００２５】
図３（Ａ）において示されているように、基地局１１０内に含まれているダウンリンクビームフォーミングシステムは、複数のモバイルデバイスを含むサブグループのために狭指向性ビームを生成することができる。いくつかの実施形態においては、ダウンリンクビームフォーミングシステムは、低速グループの複数のモバイルデバイスのうちで、基地局１１０から同様の方向に位置していて所定のレンジ内に位置している複数のモバイルデバイスを含む１つまたは複数のサブグループのために狭指向性ビームを生成することができる。限定ではなく、例として、ダウンリンクビームフォーミングシステムは、サブグループ２１２、２３４、および２５４のために指向性ビーム３１０、３２０、および３３０をそれぞれ生成することができる。
【００２６】
図３（Ｂ）において示されているように、ダウンリンクビームフォーミングシステムは、セル１２０内に位置しているモバイルデバイスのうちで、サブグループに含まれているモバイルデバイス以外の１つまたは複数のモバイルデバイスのために無指向性ビーム３４０を生成することができる。いくつかの実施形態においては、ダウンリンクビームフォーミングシステムは、所定のスピード以上で移動している１つまたは複数のモバイルデバイス、および／または所定のスピードよりも遅く移動しているがサブグループに属していない１つもしくは複数のモバイルデバイスのために、狭指向性ビームではなく、無指向性ビーム３４０を生成することができる。ダウンリンクビームフォーミングシステムが、所定のスピードよりも速く移動しているモバイルデバイス、またはサブグループに含まれない位置にあるモバイルデバイスのために狭指向性ビームを生成するケースにおいては、ダウンリンクビームフォーミングシステムは、それらの狭指向性ビームを生成するために多くのエネルギーを必要とする場合がある。したがって、ダウンリンクビームフォーミングシステムが、１つまたは複数のサブグループに含まれているモバイルデバイス以外の１つまたは複数のモバイルデバイスのために狭指向性ビームを生成することは、非効率的である場合がある。したがって、ダウンリンクビームフォーミングシステムは、１つまたは複数のサブグループに含まれているモバイルデバイス以外の１つまたは複数のモバイルデバイスのために、指向性ビームではなく、無指向性ビームを生成することができる。
【００２７】
図４は、本明細書に記載されている少なくともいくつかの実施形態によるダウンリンクビームフォーミングシステムの一例を示す概略ブロック図を示している。ダウンリンクビームフォーミングシステム４００が、受信ユニット４１０、グループ化ユニット４２０、ビーム生成ユニット４３０、および更新ユニット４４０を含むことができる。さまざまなコンポーネントは、別々のコンポーネントとして示されているが、所望の実施態様に応じて、さらなるコンポーネントへと分割されること、より少ないコンポーネントへと統合されること、または省略されることが可能である。
【００２８】
受信ユニット４１０は、複数のモバイルデバイスの移動情報を受信するように構成されることが可能である。いくつかの実施形態においては、移動情報は、モバイルデバイスの速度情報を含むことができる。限定ではなく、例として、移動情報は、それぞれのモバイルデバイスのグローバルポジショニングシステム（ＧＰＳ）の位置情報、およびグローバルポジショニングシステムの位置情報に基づく速度情報を含むことができる。
【００２９】
グループ化ユニット４２０は、モバイルデバイスのうちの少なくともいくつかを移動情報に基づいて１つまたは複数のグループへとグループ化するように構成されることが可能である。いくつかの実施形態においては、グループ化ユニット４２０は、受信ユニット４１０によって受信された移動情報に基づいてモバイルデバイスどうしをグループ化することができる。グループ化ユニット４２０は、モバイルデバイスのうちの少なくともいくつかを、移動情報内に含まれている速度情報に基づいて１つまたは複数のグループへとグループ化することができる。いくつかの実施形態においては、グループ化ユニット４２０は、分類ユニット（図示せず）を含むことができ、分類ユニットは、モバイルデバイスどうしを速度情報に基づいて低速グループおよび高速グループへと分類することができる。低速グループ内のモバイルデバイスの速度は、所定の速度よりも遅いと言うことができ、その一方で、高速グループ内のモバイルデバイスの速度は、所定の速度以上であると言える。
【００３０】
所定の速度は、ダウンリンクビームフォーミングシステム４００が新たなビームを生成するときに消費されるエネルギーの量に依存することができる。狭指向性ビームを通じて信号を受信するモバイルデバイスの速度が遅くなるにつれて、モバイルデバイスは、生成された狭指向性ビームを長い間にわたって保持することができる。限定ではなく、例として、所定の速度は、約３〜６ｋｍ／時であることが可能であり、これは、人間の歩くペースである。
【００３１】
いくつかの実施形態においては、グループ化ユニット４２０は、低速グループ内のモバイルデバイスのうちの少なくともいくつかを低速グループ内のそれらのモバイルデバイスの位置に基づいて１つまたは複数のサブグループへと再グループ化するように構成されている再グループ化ユニット（図示せず）を含むことができる。それらのサブグループは、所定のレンジ内に位置している複数のモバイルデバイスを含むことができる。限定ではなく、例として、再グループ化ユニットは、低速グループ内のモバイルデバイスのうちで、基地局１１０から同様の方向に位置していて所定のレンジ内に位置している複数のモバイルデバイスをサブグループへと再グループ化することができる。
【００３２】
ビーム生成ユニット４３０は、モバイルデバイスのためにビームを生成するように構成されることが可能である。いくつかの実施形態においては、ビーム生成ユニット４３０は、グループ化ユニット４２０によってグループ化されたモバイルデバイスのためにビームを生成することができる。いくつかの実施形態においては、ビーム生成ユニット４３０は、１つまたは複数の狭指向性ビームおよび無指向性ビームを生成することができる。ビーム生成ユニット４３０の詳細は、以降で図５を参照することによって提供される。
【００３３】
更新ユニット４４０は、移動情報を定期的に更新するように構成されることが可能である。いくつかの実施形態においては、ダウンリンクビームフォーミングシステム４００によって生成されたビームを通じて信号を受信する複数のモバイルデバイスの移動スピードおよび位置は、変化する場合がある。したがって、更新ユニット４４０は、複数のモバイルデバイスの移動情報を定期的に更新することができ、グループ化ユニット４２０は、更新された移動情報に基づいてグループどうしを低速グループ、高速グループ、および１つまたは複数のサブグループへと再グループ化することができる。
【００３４】
図５は、本明細書に記載されている少なくともいくつかの実施形態によるビーム生成ユニット４３０の一例を示す概略ブロック図を示している。ビーム生成ユニット４３０は、指向性ビーム生成ユニット５１０および無指向性ビーム生成ユニット５２０を含むことができる。さまざまなコンポーネントは、別々のコンポーネントとして示されているが、所望の実施態様に応じて、さらなるコンポーネントへと分割されること、より少ないコンポーネントへと統合されること、または省略されることが可能である。
【００３５】
指向性ビーム生成ユニット５１０は、グループ化ユニット４２０によってグループ化されたそれぞれのサブグループのために１つまたは複数の指向性ビームを生成することができる。いくつかの実施形態においては、指向性ビーム生成ユニット５１０は、グループ化ユニット４２０によってグループ化されたサブグループのモバイルデバイスのために１つまたは複数の狭指向性ビームを生成することができる。
【００３６】
無指向性ビーム生成ユニット５２０は、サブグループに属していない少なくとも１つのモバイルデバイスのために無指向性ビームを生成することができる。いくつかの実施形態においては、無指向性ビーム生成ユニット５２０は、グループ化ユニット４２０によってグループ化された高速グループおよび低速グループのモバイルデバイスのうちで、サブグループに属していない１つまたは複数のモバイルデバイスのために無指向性ビームを生成することができる。
【００３７】
図６は、本明細書に記載されている少なくともいくつかの実施形態による、モバイルデバイスどうしをグループ化して、それらのモバイルデバイスのためにビームを生成するためのプロセスの一例を示す流れ図を示している。図６における方法は、上述のように受信ユニット４１０、グループ化ユニット４２０、ビーム生成ユニット４３０、および更新ユニット４４０を含むダウンリンクビームフォーミングシステム４００を特徴とする基地局を使用して実施されることが可能である。ある例示的なプロセスは、１つまたは複数のブロックＳ６１０、Ｓ６２０、および／またはＳ６３０によって示されているような１つまたは複数のオペレーション、アクション、または機能を含むことができる。さまざまなブロックは、別々のブロックとして示されているが、所望の実施態様に応じて、さらなるブロックへと分割されること、より少ないブロックへと統合されること、または省略されることが可能である。処理は、ブロックＳ６１０において開始することができる。
【００３８】
ブロックＳ６１０において、基地局は、複数のモバイルデバイスのそれぞれの移動情報を受信することができる。いくつかの実施形態においては、移動情報は、それらのモバイルデバイスのＧＰＳ情報に基づくそれぞれの速度情報を含むことができる。処理は、ブロックＳ６１０からブロックＳ６２０へ続くことができる。
【００３９】
ブロックＳ６２０において、基地局は、モバイルデバイスのうちの少なくともいくつかを移動情報に基づいて１つまたは複数のグループへとグループ化することができる。いくつかの実施形態においては、基地局は、モバイルデバイスどうしを速度情報に基づいて低速グループおよび高速グループへと分類することができる。低速グループ内のモバイルデバイスのスピードは、所定のスピードよりも遅く、高速グループ内のモバイルデバイスのスピードは、所定のスピードよりも速い。すなわち、基地局は、所定のスピードよりも遅く移動しているモバイルデバイスを低速グループとして、および所定のスピードよりも速く移動しているモバイルデバイスを高速グループとして分類することができる。
【００４０】
いくつかの実施形態においては、基地局は、低速グループ内のモバイルデバイスのうちの少なくともいくつかを低速グループ内のそれらのモバイルデバイスの位置に基づいて１つまたは複数のサブグループへと再グループ化することができる。それらのサブグループは、所定のレンジ内に配置されている複数のモバイルデバイスを含むことができ、その所定のレンジは、基地局からそれらのサブグループ内のモバイルデバイスへの方向に関連付けられることが可能である。すなわち、基地局は、基地局から同様の方向に配置されていて、それらの同様の方向に関連付けられている所定のレンジ内に配置されているモバイルデバイスどうしをサブグループとして分類することができる。所定のレンジは、基地局によって生成された狭指向性ビームの幅に関連付けられることが可能である。処理は、ブロックＳ６２０からブロックＳ６３０へ続くことができる。
【００４１】
ブロックＳ６３０において、基地局は、それぞれのグループのためにビームを生成することができる。いくつかの実施形態においては、基地局は、１つまたは複数の指向性ビームおよび無指向性ビームを作成することができる。いくつかの実施形態においては、基地局は、それぞれのサブグループのために１つまたは複数の指向性ビームを、およびそれらのサブグループに属していない少なくとも１つのモバイルデバイスのために無指向性ビームを生成することができる。
【００４２】
本明細書において開示されているこのプロセスおよび方法ならびにその他のプロセスおよび方法にとって、それらのプロセスおよび方法において実行される機能は、別の順序で実施されることも可能であるということを当業者なら理解するであろう。さらに、概説されているステップおよびオペレーションは、例として提供されているにすぎず、それらのステップおよびオペレーションのうちのいくつかは、開示されている実施形態の本質を損なうことなく、任意選択とすること、より少ないステップおよびオペレーションへと統合すること、またはさらなるステップおよびオペレーションへと拡張することが可能である。
【００４３】
図７は、本明細書に記載されている少なくともいくつかの実施形態による、ワイヤレス通信のためのビームフォーミングを提供するために利用されることが可能であるコンピュータプログラム製品７００を示している。プログラム製品７００は、信号伝達媒体７０２を含むことができる。信号伝達媒体７０２は、たとえば、プロセッサによって実行されたときに、図１〜図６に関連して上述した機能を提供することができる１つまたは複数の命令７０４を含むことができる。例として、命令７０４は、複数のモバイルデバイスのそれぞれの移動情報を受信するための１つまたは複数の命令、それらのモバイルデバイスの少なくともいくつかを移動情報に基づいて１つまたは複数のグループへとグループ化するための１つまたは複数の命令、およびそれらのグループそれぞれのためにビームを生成するための１つまたは複数の命令を含むことができる。したがって、たとえば、図４を参照すると、ダウンリンクビームフォーミングシステム４００は、命令７０４に応答して、図６において示されているブロックのうちの１つまたは複数を行うことができる。
【００４４】
いくつかの実装形態においては、信号伝達媒体７０２は、コンピュータ可読媒体７０６を含むことができ、コンピュータ可読媒体７０６は、ハードディスクドライブ、ＣＤ、ＤＶＤ、デジタルテープ、メモリなどであるが、それらには限定されない。いくつかの実装形態においては、信号伝達媒体７０２は、記録可能媒体７０８を含むことができ、記録可能媒体７０８は、メモリ、Ｒ／Ｗ（ｒｅａｄ／ｗｒｉｔｅ）  ＣＤ、Ｒ／Ｗ  ＤＶＤなどであるが、それらには限定されない。いくつかの実装形態においては、信号伝達媒体７０２は、通信媒体７１０を含むことができ、通信媒体７１０は、デジタル通信媒体および／またはアナログ通信媒体（たとえば、光ファイバケーブル、導波管、有線通信リンク、ワイヤレス通信リンク等）などであるが、それらには限定されない。したがって、たとえば、プログラム製品７００は、ＲＦ信号伝達媒体７０２によってダウンリンクビームフォーミングシステム４００の１つまたは複数のモジュールに搬送されることが可能であり、この場合、信号伝達媒体７０２は、ワイヤレス通信媒体７１０（たとえば、ＩＥＥＥ８０２．１１標準に準拠しているワイヤレス通信媒体）によって搬送されることが可能である。
【００４５】
図８は、本明細書に記載されている少なくともいくつかの実施形態による、ワイヤレス通信のためのビームフォーミングを提供するために利用されることが可能であるコンピューティングデバイス８００の一例を示すブロック図である。非常に基本的な構成８０２においては、典型的には、コンピューティングデバイス８００は、１つまたは複数のプロセッサ８０４と、システムメモリ８０６とを含むことができる。プロセッサ８０４と、システムメモリ８０６との間における通信のために、メモリバス８０８が使用されることが可能である。
【００４６】
所望の構成に応じて、プロセッサ８０４は、任意のタイプのものであることが可能であり、それらのタイプには、マイクロプロセッサ（μＰ）、マイクロコントローラ（μＣ）、デジタルシグナルプロセッサ（ＤＳＰ）、またはそれらの任意の組合せが含まれるが、それらには限定されない。プロセッサ８０４は、レベル１キャッシュ８１０およびレベル２キャッシュ８１２など、もう１つのレベルのキャッシングと、プロセッサコア８１４と、レジスタ８１６とを含むことができる。例示的なプロセッサコア８１４は、演算ロジックユニット（ＡＬＵ）、浮動小数点演算ユニット（ＦＰＵ）、デジタル信号処理コア（ＤＳＰコア）、またはそれらの任意の組合せを含むことができる。例示的なメモリコントローラ８１８が、プロセッサ８０４とともに使用されることも可能であり、または、いくつかの実装形態においては、メモリコントローラ８１８は、プロセッサ８０４の内部の一部分であることが可能である。
【００４７】
所望の構成に応じて、システムメモリ８０６は、任意のタイプのものであることが可能であり、それらのタイプには、揮発性メモリ（ＲＡＭなど）、不揮発性メモリ（ＲＯＭ、フラッシュメモリなど）、またはそれらの任意の組合せが含まれるが、それらには限定されない。システムメモリ８０６は、オペレーティングシステム８２０と、１つまたは複数のアプリケーション８２２と、プログラムデータ８２４とを含むことができる。
【００４８】
コンピューティングデバイス８００は、基本構成８０２と、必要とされるあらゆるデバイスおよびインターフェースとの間における通信を容易にするためのさらなる特徴または機能およびさらなるインターフェースを有することができる。たとえば、ストレージインターフェースバス８３４を介した、基本構成８０２と、１つまたは複数のデータ記憶装置８３２との間における通信を容易にするために、バス／インターフェースコントローラ８３０が使用されることが可能である。データ記憶装置８３２は、取外し式記憶装置８３６、非取外し式記憶装置８３８、またはそれらの組合せであることが可能である。取外し式記憶装置および非取外し式記憶装置の例としては、いくつか挙げると、フレキシブルディスクドライブおよびハードディスクドライブ（ＨＤＤ）などの磁気ディスクデバイス、コンパクトディスク（ＣＤ）ドライブまたはデジタル多用途ディスク（ＤＶＤ）ドライブなどの光学ディスクドライブ、ソリッドステートドライブ（ＳＳＤ）、ならびにテープドライブが含まれる。例示的なコンピュータ記憶媒体は、コンピュータ可読命令、データ構造、プログラムモジュール、またはその他のデータなどの情報を格納するための任意の方法またはテクノロジーにおいて実装される揮発性媒体および不揮発性媒体ならびに取外し式媒体および非取外し式媒体を含むことができる。
【００４９】
システムメモリ８０６、取外し式記憶装置８３６、および非取外し式記憶装置８３８は、コンピュータ記憶媒体の例である。コンピュータ記憶媒体は、ＲＡＭ、ＲＯＭ、ＥＥＰＲＯＭ、フラッシュメモリ、もしくはその他のメモリテクノロジー、ＣＤ−ＲＯＭ、デジタル多用途ディスク（ＤＶＤ）、もしくはその他の光学ストレージ、磁気カセット、磁気テープ、磁気ディスクストレージ、もしくはその他の磁気記憶装置、または、所望の情報を格納するために使用されることが可能な、かつコンピューティングデバイス８００によってアクセスされることが可能なその他の任意の媒体を含むが、それらには限定されない。そのような任意のコンピュータ記憶媒体は、コンピューティングデバイス８００の一部であることが可能である。
【００５０】
コンピューティングデバイス８００は、さまざまなインターフェースデバイス（たとえば、出力装置８４２、周辺インターフェース８４４、および通信デバイス８４６）からバス／インターフェースコントローラ８３０を介して基本構成８０２へ至る通信を容易にするためのインターフェースバス８４０を含むこともできる。例示的な出力装置８４２は、グラフィック処理ユニット８４８およびオーディオ処理ユニット８５０を含み、グラフィック処理ユニット８４８およびオーディオ処理ユニット８５０は、１つまたは複数のＡ／Ｖポート８５２を介して、ディスプレイまたはスピーカーなどのさまざまな外部デバイスに通信するように構成されることが可能である。例示的な周辺インターフェース８４４は、シリアルインターフェースコントローラ８５４またはパラレルインターフェースコントローラ８５６を含み、シリアルインターフェースコントローラ８５４またはパラレルインターフェースコントローラ８５６は、１つまたは複数のＩ／Ｏポート８５８を介して、入力デバイス（たとえば、キーボード、マウス、ペン、音声入力デバイス、タッチ入力デバイス等）またはその他の周辺デバイス（たとえば、プリンタ、スキャナ等）などの外部デバイスと通信するように構成されることが可能である。例示的な通信デバイス８４６は、ネットワークコントローラ８６０を含み、ネットワークコントローラ８６０は、１つまたは複数の通信ポート８６４を経由したネットワーク通信リンクを介した１つまたは複数のその他のコンピューティングデバイス８６２との通信を容易にするようにアレンジされることが可能である。
【００５１】
ネットワーク通信リンクは、通信媒体の一例であると言える。通信媒体は、典型的には、搬送波またはその他の伝送メカニズムなどの変調されたデータ信号内のコンピュータ可読命令、データ構造、プログラムモジュール、またはその他のデータによって具体化されることが可能であり、任意の情報伝達媒体を含むことができる。「変調されたデータ信号」とは、その信号の特性のうちの１つまたは複数が、その信号内で情報をエンコードするような様式で設定または変更されている信号であると言える。限定ではなく、例として、通信媒体は、有線ネットワークまたは直接有線接続などの有線媒体、ならびに、音波媒体、無線周波数（ＲＦ）媒体、マイクロ波媒体、赤外線（ＩＲ）媒体、およびその他のワイヤレス媒体などのワイヤレス媒体を含むことができる。コンピュータ可読媒体という用語は、本明細書において使用される際には、記憶媒体および通信媒体の両方を含むことができる。
【００５２】
コンピューティングデバイス８００は、携帯電話、携帯情報端末（ＰＤＡ）、パーソナルメディアプレーヤデバイス、ワイヤレスウェブ閲覧デバイス、パーソナルヘッドセットデバイス、アプリケーション固有のデバイス、または、上記の機能のうちの任意のものを含むハイブリッドデバイスなど、スモールフォームファクタのポータブル（またはモバイル）電子デバイスの一部分として実装されることが可能である。コンピューティングデバイス８００は、ラップトップコンピュータの構成およびラップトップコンピュータ以外の構成の両方を含めて、パーソナルコンピュータとして実装されることも可能である。
【００５３】
本開示は、本出願において説明されている特定の実施形態の観点から限定されるものではなく、それらの実施形態は、さまざまな態様の例示として意図されている。当業者にとっては明らかであろうが、本開示の趣旨および範囲から逸脱することなく、多くの改変および変形を行うことができる。本明細書において列挙されている方法および装置に加えて、本開示の範囲内にある機能的に均等な方法および装置は、前述の説明から当業者にとって明らかであろう。そのような改変および変形は、添付の特許請求の範囲の範疇内に収まるように意図されている。本開示は、添付の特許請求の範囲、ならびに、そのような特許請求の範囲が付与される均等物の全範囲という観点によってのみ限定されるものである。本開示は、特定の方法、試薬、化合物、組成、または生体系（これらは、もちろん、さまざまなものでありうる）に限定されるものではないということを理解されたい。本明細書において使用されている用語は、特定の実施形態を説明することのみを目的としており、限定することを意図されているものではないということも理解されたい。
【００５４】
本明細書における実質的にすべての複数形および／または単数形の用語の使用に対して、当業者は、状況および／または用途に適切なように、複数形から単数形に、および／または単数形から複数形に変換することができる。さまざまな単数形／複数形の置き換えは、理解しやすいように、本明細書で明確に説明することができる。
【００５５】
通常、本明細書において、特に添付の特許請求の範囲（たとえば、添付の特許請求の範囲の本体部）において使用される用語は、全体を通じて「オープンな（ｏｐｅｎ）」用語として意図されていることが、当業者には理解されよう（たとえば、用語「含む（ｉｎｃｌｕｄｉｎｇ）」は、「含むがそれに限定されない（ｉｎｃｌｕｄｉｎｇ  ｂｕｔ  ｎｏｔ  ｌｉｍｉｔｅｄ  ｔｏ）」と解釈されるべきであり、用語「有する（ｈａｖｉｎｇ）」は、「少なくとも有する（ｈａｖｉｎｇ  ａｔ  ｌｅａｓｔ）」と解釈されるべきであり、用語「含む（ｉｎｃｌｕｄｅｓ）」は、「含むがそれに限定されない（ｉｎｃｌｕｄｅｓ  ｂｕｔ  ｉｓ  ｎｏｔ  ｌｉｍｉｔｅｄ  ｔｏ）」と解釈されるべきである、など）。導入される請求項で具体的な数の記載が意図される場合、そのような意図は、当該請求項において明示的に記載されることになり、そのような記載がない場合、そのような意図は存在しないことが、当業者にはさらに理解されよう。たとえば、理解の一助として、添付の特許請求の範囲は、導入句「少なくとも１つの（ａｔ  ｌｅａｓｔ  ｏｎｅ）」および「１つまたは複数の（ｏｎｅ  ｏｒ  ｍｏｒｅ）」を使用して請求項の記載を導くことを含む場合がある。しかし、そのような句の使用は、同一の請求項が、導入句「１つまたは複数の」または「少なくとも１つの」および「ａ」または「ａｎ」などの不定冠詞を含む場合であっても、不定冠詞「ａ」または「ａｎ」による請求項の記載の導入が、そのように導入される請求項の記載を含む任意の特定の請求項を、単に１つのそのような記載を含む実施形態に限定する、ということを示唆していると解釈されるべきではない（たとえば、「ａ」および／または「ａｎ」は、「少なくとも１つの」または「１つまたは複数の」を意味すると解釈されるべきである）。同じことが、請求項の記載を導入するのに使用される定冠詞の使用にも当てはまる。また、導入される請求項の記載で具体的な数が明示的に記載されている場合でも、そのような記載は、少なくとも記載された数を意味すると解釈されるべきであることが、当業者には理解されよう（たとえば、他の修飾語なしでの「２つの記載（ｔｗｏ  ｒｅｃｉｔａｔｉｏｎｓ）」の単なる記載は、少なくとも２つの記載、または２つ以上の記載を意味する）。さらに、「Ａ、ＢおよびＣ、などの少なくとも１つ」に類似の慣例表現が使用されている事例では、通常、そのような構文は、当業者がその慣例表現を理解するであろう意味で意図されている（たとえば、「Ａ、Ｂ、およびＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステムを含むが、それに限定されない）。「Ａ、Ｂ、またはＣ、などの少なくとも１つ」に類似の慣例表現が使用されている事例では、通常、そのような構文は、当業者がその慣例表現を理解するであろう意味で意図されている（たとえば、「Ａ、Ｂ、またはＣの少なくとも１つを有するシステム」は、Ａのみ、Ｂのみ、Ｃのみ、ＡおよびＢを共に、ＡおよびＣを共に、ＢおよびＣを共に、ならびに／またはＡ、Ｂ、およびＣを共に、などを有するシステ���を含むが、それに限定されない）。２つ以上の代替用語を提示する事実上いかなる離接する語および／または句も、明細書、特許請求の範囲、または図面のどこにあっても、当該用語の一方（ｏｎｅ  ｏｆ  ｔｈｅ  ｔｅｒｍｓ）、当該用語のいずれか（ｅｉｔｈｅｒ  ｏｆ  ｔｈｅ  ｔｅｒｍｓ）、または両方の用語（ｂｏｔｈ  ｔｅｒｍｓ）を含む可能性を企図すると理解されるべきであることが、当業者にはさらに理解されよう。たとえば、句「ＡまたはＢ」は、「Ａ」または「Ｂ」あるいは「ＡおよびＢ」の可能性を含むことが理解されよう。
【００５６】
加えて、本開示の特徴または態様がマーカッシュグループの点から記載されている場合には、それによって、本開示は、そのマーカッシュグループの任意の個々のメンバーまたはメンバーのサブグループの点からも記載されているということを当業者なら認識するであろう。
【００５７】
当業者なら理解するであろうが、書面による説明を提供するという点からなど、ありとあらゆる目的のために、本明細書において開示されているすべての範囲は、ありとあらゆる可能なサブ範囲およびそれらのサブ範囲の組合せも包含する。列挙されているいかなる範囲も、その同じ範囲が、少なくとも２等分、３等分、４等分、５等分、１０等分などへと分割されることを十分に記述するものとして、かつ可能にするものとして容易に認識されることが可能である。非限定的な例として、本明細書において論じられているそれぞれの範囲は、下の３分の１、真ん中の３分の１、および上の３分の１などへと容易に分割されることが可能である。やはり当業者なら理解するであろうが、たとえば「まで（ｕｐ  ｔｏ）」、「少なくとも（ａｔ  ｌｅａｓｔ）」などのすべての言葉は、挙げられている数を含み、上述のように後でサブ範囲へと分割されることが可能な範囲を指す。最後に、当業者なら理解するであろうが、範囲は、それぞれの個々のメンバーを含む。したがって、たとえば、１〜３個のセルを有するグループは、１、２、または３個のセルを有するグループを指す。同様に、１〜５個のセルを有するグループは、１、２、３、４、または５個のセルを有するグループを指す、といった具合である。
【００５８】
本開示のさまざまな実施形態は、例示の目的で本明細書に記載されているということ、ならびに、本開示の範囲および趣旨から逸脱することなく、さまざまな改変を行うことができるということが、前述の内容からわかるであろう。したがって、本明細書において開示されているさまざまな実施形態は、限定することを意図されているものではなく、真の範囲および趣旨は、添付の特許請求の範囲によって示されている。
【図１】
0005735180.tif 000002
【図２】
0005735180.tif 000003
【図３】
0005735180.tif 000004
【図４】
0005735180.tif 000005
【図５】
0005735180.tif 000006
【図６】
0005735180.tif 000007
【図７】
0005735180.tif 000008
【図８】
0005735180.tif 000009